(57)【要約】【課題】長期間にわたって切れ味が維持される釣具用カッターの提供。【解決手段】弾性変形可能な一対の挟持部材１１，１２を備える。各挟持部材１１，１２の先端部１３，１４同士は、所定の隙間ｓを有して対向配置される。この姿勢は、第１姿勢である。各挟持部材１１，１２は弾性変形し、これらの先端部１３，１４同士が矢印１９の方向に沿って互いに当接する。この姿勢は、第２姿勢である。先端部１３，１４は、切断刃１７，１８を備える。挟持部材１１，１２が第２姿勢となることによって、切断対象物が切断刃１７，１８間に挟み込まれる。切断刃１７，１８は、方向２１に対して角度θだけ傾斜されている。この角度θは、３０°〜６０°に設定される。【選択図】　図１
2004097118.tif 000002
【特許請求の範囲】
【請求項１】
先端部が対向配置された一対の挟持部材を備え、当該先端部に形成された一対の切断刃が所定方向に沿って近接されることによって当該各切断刃同士の間に切断対象物が挟み込まれて切断される釣具用カッターにおいて、
上記各切断刃は、上記所定方向に直交する方向に対して所定角度だけ傾斜した方向に沿って形成されていることを特徴とする釣具用カッター。
【請求項２】
先端部同士が所定の隙間を有して対向配置される第１姿勢と、先端部同士が所定方向に沿って互いに当接する第２姿勢との間で姿勢変化可能なように基端部同士が固着された弾性変形可能な一対の挟持部材と、
一対の挟持部材のそれぞれの先端部に形成された切断刃とを有し、
各切断刃は、上記所定方向に直交する方向に対して所定角度だけ傾斜した方向に沿って形成されていることを特徴とする釣具用カッター。
【請求項３】
上記各切断刃は、上記所定方向に直交する方向に対して、３０°〜６０°傾斜した方向に沿って形成されている請求項１又は２記載の釣具用カッター。
【発明の詳細な説明】
【０００１】
【発明の属する技術の分野】
この発明は、釣りの際に釣具（特に釣糸等）の切断等に使用される釣具用カッターに関するものである。
【０００２】
【従来の技術及び発明が解決しようとする課題】
釣りが行われる際にはロッドやリールが用いられるが、魚を釣るための直接的道具は、「仕掛け」であり、この仕掛けがロッド及びリールによって釣人の所望のポイントに投入され、操作される。
仕掛けとは、リールによって繰出自在に巻き取られたライン（「道糸」と称される場合がある。）、ラインの先端に連結されたハリス、ハリスの先端に結びつけられた針、ウキ、ラインとハリスとを連結する連結具（「サルカン」と称される場合がある。）等を含む概念である。
【０００３】
この仕掛けは、釣りを始める際に釣人が作成するものであり、釣りの最中において適宜変更・修正され、再度作り直されるものである。すなわち、釣りの最中に、釣人は、釣り場等の状況の変化に対応してラインやハリスを切断し、再度サルカンや針に結び直す作業を行うものである。ライン等の切断には、従来から釣具用カッターが使用されている。なお、特にライン等の切断用として提供されている釣具用カッターは、ラインカッターと称される。図５は、従来の釣具用カッターとしてのラインカッターの斜視図である。
ラインカッター１は、一対の挟持部材２，３を備えており、これらが弾性変形することによってその先端部４，５が当接し、また離反するようになっている。挟持部材２，３の先端部４，５には、それぞれ刃部６，７が形成されており、釣人は、このラインカッター１を手に取り、刃部６，７の間にライン等を挟み込むことにより切断する。
【０００４】
なお、刃部６，７に対するライン等の角度によっては、切断作業が困難となる場合があるが、刃部に対するライン等の角度に関わらず良好な切断作業が実現されるために、刃部がＶ字状に形成されたラインカッターが提供されている（例えば、特許文献１参照）。
【０００５】
【特許文献１】
特開平１１−０９９２８９号公報
【０００６】
前述のように、従来のラインカッターでは、対向する刃部６，７によってライン等が挟み込まれる構造であり、使用中に刃部６，７が鈍りやすいという問題があった。
そこで、本発明の目的は、長期間にわたって切れ味が維持される釣具用カッターを提供することである。
【０００７】
【課題を解決するための手段】
（１）　本願発明者は、従来の釣具用カッターの切れ味が低下する原因は、刃部が切断対象物（例えばライン等）が挟み込まれる挟持方向に対して直交する方向に沿って形成され、両者が平行に対向してライン等を挟み込むために、刃部が鈍りやすくなる（いわゆる刃こぼれが生じやすい）と考えた。
【０００８】
（２）　そこで、本願に係る釣具用カッターは、先端部が対向配置された一対の挟持部材を備え、当該先端部に形成された一対の切断刃が所定方向に沿って近接されることによって当該各切断刃同士の間に切断対象物が挟み込まれて切断される釣具用カッターにおいて、上記各切断刃は、上記所定方向に直交する方向に対して所定角度だけ傾斜した方向に沿って形成されていることを特徴とするものである。
【０００９】
この構成によれば、切断対象物は、各切断刃が所定方向に沿って互いに近接することによって両者間に挟み込まれる。このとき、各切断刃が上記所定方向に直交する方向に対して所定角度だけ傾斜した方向に形成されているから、切断対象物は、各切断刃間に挟み込まれる際に、各切断刃によって上記傾斜角度だけ斜めに切り込まれる。そして、これら切断刃と切断対象物との間には、一定の切断抵抗力が生じ、この力は、切断対象物に対してスラスト荷重として作用する。したがって、切断対象物は、切断される際に切断刃の傾斜方向に沿って回転されるように力を受け、これにより、滑らかに切断される。
【００１０】
（３）　また、本願に係る釣具用カッターは、先端部同士が所定の隙間を有して対向配置される第１姿勢と、先端部同士が所定方向に沿って互いに当接する第２姿勢との間で姿勢変化可能なように基端部同士が固着された弾性変形可能な一対の挟持部材と、一対の挟持部材のそれぞれの先端部に形成された切断刃とを有し、各切断刃は、上記所定方向に直交する方向に対して所定角度だけ傾斜した方向に沿って形成されていることを特徴とするものである。
【００１１】
この構成によれば、一対の挟持部材が第１姿勢の状態から弾性変形することによって第２姿勢へと姿勢変化する。このとき、各挟持部材の先端部に形成された切断刃間に切断対象物が配置されることにより、当該切断対象物は、各切断刃間に挟み込まれる。このとき、各切断刃が上記所定方向に直交する方向に対して所定角度だけ傾斜した方向に形成されているから、切断対象物は、各切断刃間に挟み込まれる際に、各切断刃によって上記傾斜角度だけ斜めに切り込まれる。そして、これら切断刃と切断対象物との間には、一定の切断抵抗力が生じ、この力は、切断対象物に対してスラスト荷重として作用する。したがって、切断対象物は、切断される際に切断刃の傾斜方向に沿って回転されるように力を受け、これにより、滑らかに切断される。
【００１２】
（４）　上記各切断刃は、上記所定方向に直交する方向に対して、３０°（ｄｅｇｒｅｅ）〜６０°傾斜した方向に沿って形成されているのが好ましい。
切断刃の傾斜角度がこの範囲に設定されることによって、切断対象物は、きわめて滑らかに切断される。
【００１３】
【発明の実施の形態】
以下、適宜図面が参照されつつ、好ましい実施形態に基づいて本発明が詳細に説明される。
【００１４】
図１は、本発明の一実施形態に係る釣具用カッター１０の斜視図である。
この釣具用カッター１０は、魚釣りの際に主として釣糸を切断する際に使用されるものであり、ラインカッターとも称される。もっとも、この釣具カッター１０は、釣糸切断用に限定されるものではないことは勿論である。
【００１５】
この釣具用カッター１０は、一対の挟持部材１１，１２を備えている。挟持部材１１は、例えば、ステンレス鋼（典型的には、ＳＵＳ４２０Ｊ２又はＳＵＳ４４０Ｃ）等からなり、細長薄肉の平板により構成されている。挟持部材１１は、図１が示すように先端部１３が屈曲された略Ｌ字状に形成されている。
また、挟持部材１２は、挟持部材１１と略同様の形状に形成されており、先端部１４が屈曲された略Ｌ字状に形成されている。
【００１６】
挟持部材１１及び挟持部材１２は、それぞれの基端部１５，１６が固着されている。両者の固着は、例えば、スポット溶接等により行われる。
両挟持部材１１，１２の基端部１５，１６が固着されることにより、両挟持部材１１，１２の先端部１３，１４同士の間に、図１が示すように所定の隙間ｓが形成される。この隙間ｓは、適宜設定されるものであるが、本実施形態では、２ｍｍ〜４ｍｍ程度に設定されている。
【００１７】
挟持部材１１，１２は、前述のようにステンレス鋼等から構成されているから、弾性変形が可能である。したがって、挟持部材１１，１２は、常時は図１が示すように、その先端部１３，１４同士が離反した姿勢（第１姿勢）となっており、釣人が当該釣具用カッター１０を手に取り、挟持部材１１，１２を手で摘むことによって両者が弾性変形し、先端部１３，１４同士が当接した姿勢（第２姿勢）となる。
【００１８】
図２は、釣具用カッター１０の要部側面図である。また、図３は、図１におけるＡ−矢視図であり、挟持部材１１，１２の先端部１３，１４を前方から見た図である。
挟持部材１１，１２の先端部１３，１４には、切断刃１７，１８が形成されている。切断刃１７，１８は、例えば、先端部１３，１４の縁部が鋭利に研磨されることにより形成される。
【００１９】
挟持部材１１，１２は、上記第１姿勢及び第２姿勢との間で姿勢変化する場合には、図３が示すように、矢印１９の方向に沿って変位する。したがって、切断対象物（釣糸）２０が切断される場合には、切断対象物２０が一対の挟持部材１１，１２の先端部１３，１４の間に配置される。そして、一対の挟持部材１１，１２が第１姿勢から第２姿勢へと姿勢変化したときに、切断対象物２０が両者間に挟み込まれ、切断刃１７，１８が切断対象物２０に切り込む。
【００２０】
また、切断刃１７，１８は、図３が示すように、所定角度だけ傾斜されている。具体的には、切断刃１７は、上記矢印１９の方向に直交する方向２１に対して角度θだけ傾斜されている。この角度θは、適宜設定されるものであるが、本実施形態では、３０°〜６０°の範囲で設定される（好ましくは、４５°）。なお、切断刃１８は、切断刃１７と平行に形成されているから、切断刃１８も上記方向２１に対して角度θだけ傾斜している。
したがって、挟持部材１１，１２が第１姿勢と第２姿勢との間で姿勢変化したときは、切断刃１７，１８は、互いに傾斜した状態で当接し、離反する。
【００２１】
釣人は、魚釣りの際に、本実施形態に係る釣具用カッター１０を用いて次のようにして切断対象物２０を切断することができる。
釣人は、まず、切断対象物２０を一対の挟持部材１１，１２の先端部１３，１４間に配置し、一対の挟持部材１１，１２を手で摘むことによって第１姿勢から第２姿勢へと姿勢変化させる。
【００２２】
これにより、切断対象物２０は、各切断刃１７，１８間に挟み込まれる。このとき、各切断刃１７，１８は、上記方向２１に対して上記角度θだけ傾斜しているから、切断対象物２０は、各切断刃１７，１８間に挟み込まれる際に、各切断刃１７，１８によって上記角度θだけ斜めに切り込まれる。
また、これら切断刃１７，１８と切断対象物２０との間には、一定の切断抵抗力が生じ、この力は、切断対象物２０に対してスラスト荷重として作用する。したがって、切断対象物２０は、切断刃１７，１８の傾斜方向に沿って回転されるように力を受け、これにより、滑らかに切断される。
【００２３】
このように、本実施形態に係る釣具用カッター１０では、切断対象物２０が斜めに切り込まれることによってきわめて滑らかに切断される。
また、各切断刃１７，１８が上記角度θだけ傾斜されているから、一対の挟持部材１１，１２が第２姿勢となったときに、各切断刃１７，１８間に生じる垂直押圧力（すなわち、切断刃１７と切断刃１８との間に生じる面圧）が小さくなる。具体的には、釣人が力Ｆで一対の挟持部材１１，１２を摘んだ場合、各切断刃１７，１８間に生じる垂直押圧力は、Ｆ×ｃｏｓθである。
したがって、各切断刃１７，１８が上記角度θだけ傾斜されていることにより、いわゆる刃こぼれの発生が抑制され、釣具用カッター１０は、長期にわたって鋭い切れ味が維持される。
【００２４】
また、本実施形態では、上記各切断刃１７，１８は、上記角度θが３０°〜６０°に設定されるから、釣人は、切断対象物２０を容易且つきわめて滑らかに切断することができる。すなわち、上記角度θが小さすぎると、切断対象物２０に作用するスラスト荷重が小さくなり切れ味の向上が期待できず、上記角度θが大きすぎると、切断する際に切断対象物２０に作用するラジアル荷重が小さくなって、釣人が一対の挟持部材１１，１２を姿勢変化させて切断対象物２０を挟み込む際により大きな挟持力が必要となるが、本実施形態では、上記範囲で角度θが設定されているから、切断対象物２０は、大きな挟持力を必要とせずに滑らかに切断される。
【００２５】
また、本実施形態は、次のような設計変更が施される。
図４は、本実施形態の変更例に係る釣具用カッター３０の斜視図である。
本変形例に係る釣具用カッター３０が上記実施形態に係る釣具用カッター１０と異なるところは、上記釣具用カッター１０では、切断刃１７，１８は、直接に上記角度θだけ傾けて形成されているのに対し、本変形例に係る釣具用カッター３０は、各挟持部材１１，１２の先端部１３，１４が所定角度φだけ傾けて折り曲げられており、その結果として切断刃１７，１８が角度γだけ傾斜している点である。なお、その他の構成については、上記実施形態と同様である。
【００２６】
この変形例に係る釣具用カッター３０では、上記先端部１３，１４が予め傾斜して折り曲げられているから、切断刃１７，１８に角度γをつける作業が簡単である。その結果、釣具用カッター３０の製造が容易となり、製造コストが低減されるという利点がある。
【００２７】
【発明の効果】
以上のように本発明によれば、切断対象物は、切断刃の傾斜方向に沿って回転されるように力を受けるので、きわめて滑らかに切断される。このため、切断刃の刃こぼれ等も防止され、当該釣具用カッターは、長期にわたって鋭い切れ味が維持される。
【図面の簡単な説明】
【図１】図１は、本発明の一実施形態に係る釣具用カッターの斜視図である。
【図２】図２は、本発明の一実施形態に係る釣具用カッターの要部側面図である。
【図３】図３は、図１におけるＡ−矢視図である。
【図４】図４は、本発明の一実施形態の変形例に係る釣具用カッターの斜視図である。
【図５】図５は、従来の釣具用カッターの斜視図である。
【符号の説明】
１０・・・釣具用カッター
１１・・・挟持部材
１２・・・挟持部材
１３・・・先端部
１４・・・先端部
１７・・・切断刃
１８・・・切断刃
１９・・・矢印
２０・・・切断対象物
２１・・・直交する方向
θ・・・傾斜角度
【図１】
2004097118.tif 000003
【図２】
2004097118.tif 000004
【図３】
2004097118.tif 000005
【図４】
2004097118.tif 000006
【図５】
2004097118.tif 000007